(57)【特許請求の範囲】
【請求項１】
他の自動取引装置から撮影依頼を受付ける受付部と、
受付けた前記撮影依頼に基づいて所定のタイミングで撮影を行う撮影部と、を備える、ことを特徴とする自動取引装置。
【請求項２】
異常を検知する検知部と、
前記異常を検知した場合に前記他の自動取引装置に前記撮影依頼を行う依頼部と、を備えることを特徴とする請求項１に記載の自動取引装置。
【請求項３】
前記他の自動取引装置が前記撮影依頼に基づいて撮影した画像を前記他の自動取引装置から取得する取得部と、
取得した前記画像を記憶する画像記憶部と、を備える、
ことを特徴とする請求項２に記載の自動取引装置。
【請求項４】
前記撮影依頼の依頼元と依頼先とに基づいて撮影タイミングを補正する補正情報を取得する取得部、を備え、
前記撮影部は、前記撮影依頼を受付けたタイミングと、前記補正情報とから前記撮影を行うタイミングを決定する、
ことを特徴とする請求項１乃至請求項３のいずれか１項に記載の自動取引装置。
【請求項５】
前記撮影依頼の依頼元と依頼先とに基づいて撮影タイミングを補正する補正情報を取得する取得部、を備え、
前記依頼部は、前記補正情報に基づいて決定した前記撮影を行うタイミングの指示を含めて、前記撮影依頼を行う、
ことを特徴とする請求項２または請求項３に記載の自動取引装置。
【請求項６】
前記撮影部は、所定時間内に、前記検知部が検知した前記異常に基づく撮影と、前記受付部が受付けた前記撮影依頼に基づく撮影とがある場合、前記撮影依頼に基づく撮影に優先して前記異常に基づく撮影を行うことを特徴とする請求項２、請求項３、請求項５のいずれか１項に記載の自動取引装置。
【請求項７】
前記撮影部は、所定時間内に、前記受付部が受付けた２以上の前記撮影依頼に基づく撮影がある場合、２以上の前記撮影依頼のうち前記２以上の前記撮影依頼を代表する１の前記撮影依頼に基づく撮影を行うことを特徴とする請求項１乃至請求項４のいずれか１項に記載の自動取引装置。
【請求項８】
カメラを備える自動取引装置における撮影方法であって、
自動取引装置が、
他の自動取引装置から撮影依頼を受付け、
受付けた前記撮影依頼に基づいて所定のタイミングで撮影を行う、
ことを特徴とする撮影方法。
【請求項９】
カメラを備える自動取引装置における撮影プログラムであって、
自動取引装置に
他の自動取引装置から撮影依頼を受付け、
受付けた前記撮影依頼に基づいて所定のタイミングで撮影を行う、
処理を実行させる、ことを特徴とする撮影プログラム。
【発明の詳細な説明】
【技術分野】
【０００１】
自動取引装置、撮影方法、および撮影プログラムに関する。
【背景技術】
【０００２】
従来、自動取引装置は、カメラを備え、カメラにより利用者を撮影する事を防犯対策の１つとしている。また、自動取引装置が備えるカメラとは別に自動取引装置設置スペースにカメラを備えて、自動取引装置が備えるカメラで撮影できない範囲を記録することが行われている。
【０００３】
しかしながら、利用者の位置や姿勢によっては、撮影対象がカメラの死角に入るなどして、防犯対策として有効な画像を撮影することができない場合があった。
そこで、複数台の自動取引装置のそれぞれに設けられたカメラが撮影した画像を用いて自動取引装置の周辺状況を検出可能にする技術の提案がある。
【先行技術文献】
【特許文献】
【０００４】
【特許文献１】特開２０１０−２８２４８８号公報
【発明の概要】
【発明が解決しようとする課題】
【０００５】
しかしながら、提案のシステムは、複数の自動取引装置が撮影した画像から生成した広視野画像を用いて不審者候補の検出を行う。そのため、各自動取引装置は、防犯対策として有効な不審者候補が写った画像を撮影できるタイミングであるか否かに関わらず撮影を行い、広視野画像の生成および処理を行っている。
【０００６】
このような撮影、広視野画像の生成および処理は、自動取引装置にかかる負担が大きいという問題があった。
本発明は、この点に鑑みてなされたものであり、自動取引装置にかかる負担を抑制しながら、防犯対策として有効な画像を撮影可能な自動取引装置の提供を目的とする。
【課題を解決するための手段】
【０００７】
上記課題を解決するために、本発明の自動取引装置は、受付部と、撮影部とを備える。受付部は、他の自動取引装置から撮影依頼を受付ける。撮影部は、受付けた撮影依頼に基づいて所定のタイミングで撮影を行う。
【発明の効果】
【０００８】
本発明の自動取引装置、撮影方法、および撮影プログラムによれば、自動取引装置にかかる負担を抑制しながら、防犯対策として有効な画像を撮影できる。
【図面の簡単な説明】
【０００９】
【図１】第一実施形態における自動取引装置の構成例を示す図である。
【図２】第二実施形態における自動取引システムの構成例を示す図である。
【図３】第二実施形態における自動取引装置のハードウェア構成例を示す図である。
【図４】第二実施形態における制御ユニットの機能ブロック図である。
【図５】第二実施形態における利用者の移動とタイムラグの一例を示す図である。
【図６】第二実施形態におけるタイムラグテーブルの一例を示す図である。
【図７】第二実施形態における自動取引装置の撮影依頼を示すシーケンス図である。
【図８】第二実施形態における撮影処理のフローチャートである。
【図９】第二実施形態における依頼撮影処理のフローチャートである。
【図１０】第二実施形態における出金処理のフローチャートである。
【図１１】第二実施形態における出金不許可処理のフローチャートである。
【図１２】第三実施形態における自動取引装置の撮影依頼を示すシーケンス図である。
【発明を実施するための形態】
【００１０】
以下、実施形態を図面を参照して説明を行う。
［第一実施形態］
図１は、第一実施形態における自動取引装置の構成例を示す図である。自動取引装置１０は、金融機関等における各種取引（出金、入金、振込等）を実施可能な装置である。自動取引装置１０は、カメラ２０を備え、カメラ２０を用いて所定のタイミングで所定の範囲の撮影を行う。撮影された画像は、防犯対策等に利用される。たとえば、自動取引装置１０は、カード挿入時や通貨排出時等のタイミングで、自動取引装置１０の正面の撮影を行う。
【００１１】
自動取引装置１０ａと自動取引装置１０ｂは、それぞれが自動取引装置１０としての機能を有する。自動取引装置１０ａに対して自動取引装置１０ｂは、他の自動取引装置１０であり、また自動取引装置１０ｂに対して自動取引装置１０ａは、他の自動取引装置１０である。なお、自動取引装置１０にとって他の自動取引装置１０は、１台に限らず、２以上の自動取引装置１０が他の自動取引装置１０であってもよい。
【００１２】
以下、自動取引装置１０ｂを他の自動取引装置１０とする自動取引装置１０ａについて説明する。
自動取引装置１０ａは、受付部１１と撮影部１２とを備える。受付部１１は、自動取引装置１０ｂから撮影依頼１３を受付ける。撮影依頼１３は、自動取引装置１０ａの周辺の画像の撮影の依頼である。自動取引装置１０は、所定の依頼条件が成立した場合に撮影依頼１３を行う。たとえば、自動取引装置１０ｂは、異常を検知した場合に撮影依頼１３を行う。撮影依頼１３は、たとえば、撮影タイミング、シャッタスピード、撮影時間等の撮影条件を含む。自動取引装置１０ｂは、たとえば、異常を検知するとカメラ２０ｂで静止画像の撮影を行うとともに、自動取引装置１０ａに対して撮影依頼１３を行う。
【００１３】
撮影部１２は、受付けた撮影依頼１３に基づいて所定のタイミングでカメラ２０ａを用いて撮影を行う。撮影部１２は、カメラ２０ａを用いて撮影することでカメラ２０ｂと異なる撮影条件（たとえば、異なる撮影位置、撮影範囲、アングル、撮影タイミング、シャッタスピード、撮影時間等）で撮影を行うことができる。
【００１４】
このように自動取引装置１０ａは、自動取引装置１０ｂから撮影依頼１３を受付けて、受付けた撮影依頼１３に基づいて所定のタイミングでカメラ２０ａを用いて撮影を行う。たとえば、所定のタイミングは、撮影依頼で指示されたタイミングであってもよいし、あらかじめ設定されたタイミング（たとえば、タイムラグを設定）であってもよい。
【００１５】
これによれば自動取引装置１０は、他の自動取引装置１０から撮影依頼を受付けた場合に撮影を行うことができるため、他の自動取引装置１０にとって必要とされるタイミング（たとえば、異常を検知したタイミング）で撮影できる。
【００１６】
また自動取引装置１０は、他の自動取引装置１０と異なる撮影条件で撮影を行うため、自動取引装置１０と他の自動取引装置１０とは、それぞれ異なるシチュエーションの画像を撮影することができる。このような異なるシチュエーションの画像は、周辺の状況の把握に役立ち、防犯対策として有効である。
【００１７】
すなわち、自動取引装置１０は、他の自動取引装置１０の撮影条件と異なる撮影条件で撮影を行い、防犯対策として有効な画像を撮影できる。さらに、自動取引装置１０は、複雑な処理（たとえば、合成処理、解析処理等）を行わないため、自動取引装置１０にかかる負担が過大になることもない。
【００１８】
このように自動取引装置１０は、自動取引装置１０にかかる負担を抑制しながら、防犯対策として有効な画像を撮影できる。
［第二実施形態］
（全体の概要について）
次に第二実施形態について説明を行う。図２は、第二実施形態における自動取引システムの構成例を示す図である。
【００１９】
自動取引システム１００は、金融機関等における各種取引を行うためのシステムである。自動取引システム１００は、ホストコンピュータ３００と、ホストコンピュータ３００とネットワーク４００を介して接続する自動取引装置２００ａ、２００ｂ、…、（複数の自動取引装置２００）とを備える。また、自動取引装置２００ａ、２００ｂ、…、は互いに通信可能に接続する。自動取引装置２００ａ、２００ｂ、…、は、たとえば、同一の店舗内に配置されている。
【００２０】
自動取引装置２００は、表示部２２１と、カード挿入／排出口２３１と、通帳挿入／排出口２４１と、硬貨入出金口２５１と、紙幣入出金口２６１と、カメラ２７１とを含んで構成される。
【００２１】
表示部２２１は、受付画面や操作方法等を表示する。カード挿入／排出口２３１は、キャッシュカードの挿入、およびキャッシュカードの排出を行う。通帳挿入／排出口２４１は、通帳の挿入、および通帳の排出を行う。硬貨入出金口２５１は、硬貨の入金、および硬貨の出金を行う。紙幣入出金口２６１は、紙幣の入金および紙幣の出金を行う。カメラ２７１は、自動取引装置２００の正面（利用者が自動取引装置を操作する側）の静止画像を撮影する。なお、カメラ２７１は、利用者の確認を行うため、自動取引装置２００の正面の上部中央に配置されているがこれに限らず、利用者を充分に撮影できる場所に配置されていればよい。
【００２２】
ホストコンピュータ３００は、自動取引システム１００を管理する。ホストコンピュータ３００は、ネットワーク４００を介して、自動取引装置２００と信号の送受信を行う。たとえば、ホストコンピュータ３００は、口座等に関する情報を保持し、自動取引装置２００の動作等を管理する。
【００２３】
（自動取引装置のハードウェア構成について）
次に、自動取引装置２００のハードウェア構成について図３を用いて説明する。図３は、第二実施形態における自動取引装置のハードウェア構成例を示す図である。
【００２４】
自動取引装置２００は、制御ユニット２１０と、表示ユニット２２０と、カード処理ユニット２３０と、通帳処理ユニット２４０と、硬貨処理ユニット２５０と、紙幣処理ユニット２６０と、撮影ユニット２７０とを有する。制御ユニット２１０は、自動取引装置２００で実行される取引処理、および取引処理を実行する各ユニットを制御する。
【００２５】
表示ユニット２２０は、表示部２２１と検知部２２２とを有する。表示部２２１は、所定の画面を表示する。表示部２２１は、操作指示や、取引の結果などを表示する。検知部２２２は、利用者の入力操作を検知する。検知部２２２は、表示ユニット２２０に設置されたタッチパネルの押下げや、入力キーの押下げ等による利用者からの入力を検知する。
【００２６】
カード処理ユニット２３０は、キャッシュカードをカード挿入／排出口２３１から挿入／排出する。また、カード処理ユニット２３０は、挿入されたキャッシュカードの読み取りを行う。通帳処理ユニット２４０は、通帳を通帳挿入／排出口２４１から挿入／排出する。また、通帳処理ユニット２４０は、挿入された通帳の読み取り、および通帳への印字を行う。
【００２７】
硬貨処理ユニット２５０は、硬貨を硬貨入出金口２５１から入出金する。紙幣処理ユニット２６０は、紙幣を紙幣入出金口２６１から入出金する。撮影ユニット２７０は、カメラ２７１を制御して自動取引装置２００の前方範囲の撮影を行う。
【００２８】
制御ユニット２１０は、ＣＰＵ（Central Processing Unit）２１０ａと、ＲＡＭ（Random Access Memory）２１０ｂと、ＨＤＤ（Hard disk Drive）２１０ｃと、グラフィック処理部２１０ｄと、通信制御部２１０ｅと、入出力インタフェース２１０ｆとを備えており、これらの各部はバス２１０ｇで相互に接続されている。
【００２９】
ＣＰＵ２１０ａは、ＲＡＭ２１０ｂ、ＨＤＤ２１０ｃ等の記憶媒体に記憶された各種プログラムを実行することにより、自動取引装置２００全体を統括的に制御する。
ＲＡＭ２１０ｂは、ＣＰＵ２１０ａに実行させるＯＳ（Operating System）プログラム並びにアプリケーションプログラムの少なくとも一部を一時的に格納する。また、ＲＡＭ２１０ｂは、ＣＰＵ２１０ａによる処理に必要な各種情報並びにＣＰＵ２１０ａにより実行される処理により発生する情報を格納する。
【００３０】
ＨＤＤ２１０ｃは、ＣＰＵ２１０ａに実行させるＯＳプログラムやアプリケーションプログラムを格納し、ＣＰＵ２１０ａによって実行される処理により発生する情報をそれぞれ記憶する。
【００３１】
グラフィック処理部２１０ｄは、表示部２２１と接続する。グラフィック処理部２１０ｄは、ＣＰＵ２１０ａからの命令に従って所定の画面を表示部２２１に表示させる。
通信制御部２１０ｅは、通信を制御する。通信制御部２１０ｅは、ホストコンピュータ３００との信号の送受信を制御する。また通信制御部２１０ｅは、他の自動取引装置２００との信号の送受信を制御する。
【００３２】
入出力インタフェース２１０ｆは、検知部２２２と、カード処理ユニット２３０、通帳処理ユニット２４０、硬貨処理ユニット２５０、紙幣処理ユニット２６０と、撮影ユニット２７０と接続する。また、入出力インタフェース２１０ｆは、可搬型記憶媒体２８０への情報の書き込み、および可搬型記憶媒体２８０からの情報の読み出しが可能な可搬型記憶媒体インタフェースと接続可能になっている。入出力インタフェース２１０ｆは、バス２１０ｇを介してＣＰＵ２１０ａからの制御信号を各ユニットに通知し、各ユニットからの信号をＣＰＵ２１０ａに通知する。
【００３３】
（制御ユニットの機能について）
次に、制御ユニット２１０が備える機能について説明する。図４は、第二実施形態における制御ユニットの機能ブロック図である。
【００３４】
制御ユニット２１０は、制御部２１１と、記憶部２１２と、検知部２１３と、送信部２１４と、受信部２１５と、撮影部２１６とを含んで構成される。制御部２１１は、制御ユニット２１０が実行する処理を統括的に制御する。
【００３５】
記憶部２１２は、各種情報を記憶する。各種情報は、たとえば、タイムラグテーブル、あらかじめ設定した撮影条件、撮影した画像、取引を介して取得した情報等を含む。タイムラグテーブルは、撮影依頼の依頼元（以下、依頼元）に応じた撮影依頼の依頼先（以下、依頼先）の撮影のタイムラグが設定されたテーブルである。撮影のタイムラグについては、後で図５を用いて詳細に説明する。タイムラグテーブルについては、後で図６を用いて詳細に説明する。撮影条件は、たとえば、撮影位置、アングル、撮影タイミング、シャッタスピード、撮影時間等である。自動取引装置２００は、これらの撮影条件に基づいて撮影を行う。
【００３６】
検知部２１３は、異常を検知する。ここでいう異常は、利用者の操作等によって生じる異常である。検知部２１３は、たとえば、取引中に利用者が事故カードを挿入した場合に、異常と検知する。事故カードは、盗難や紛失、利用限度額オーバー等の理由で、有効性を喪失したカードである。有効性を喪失するような事象が生じると、カード会社は、キャッシュカードの利用停止の処理を直ちに行う。利用停止の処理を受けたキャッシュカードは、自動取引装置２００等で利用できなくなり、事故カードとして取り扱われる。
【００３７】
送信部２１４は、通信制御部２１０ｅを介して他の自動取引装置２００に対して各種情報を送信する。各種情報は、撮影依頼、撮影依頼に基づいて撮影した画像（以下、依頼撮影画像）などを含む。送信部２１４は、所定のタイミングで撮影依頼を他の自動取引装置２００に対して送信する。所定のタイミングは、たとえば、検知部２１３が異常を検知したタイミングである。撮影依頼の送信先は、たとえば、同一店舗内に配置された他の自動取引装置２００である。なお、送信部２１４は、撮影条件を含んだ撮影依頼を送信してもよい。
【００３８】
受信部２１５は、通信制御部２１０ｅを介して他の自動取引装置２００から送信された各種情報を受信する。各種情報は、撮影依頼、依頼先から送信された依頼撮影画像などを含む。なお、受信部２１５は、第一実施形態の受付部１１に対応する。
【００３９】
撮影部２１６は、撮影ユニット２７０を制御して撮影を行う。撮影部２１６は、自装置による異常の検出に基づく撮影を行う。また、撮影部２１６は、撮影依頼に基づく撮影を行う。
【００４０】
（タイムラグについて）
次にタイムラグについて図５を用いて説明する。図５は、第二実施形態における利用者の移動とタイムラグの一例を示す図である。
【００４１】
自動取引装置２００ａ、２００ｂ、２００ｃは、金融機関の店舗６００等に横方向に並んで配置されている。
たとえば、自動取引装置２００ａは時刻Ｔ0に異常を検知すると、時刻Ｔ0にカメラ２７１ａを用いて撮影を行うとともに、自動取引装置２００ｂ及び自動取引装置２００ｃに撮影依頼を行う。
【００４２】
自動取引装置２００ｂは、撮影依頼を時刻Ｔ0に取得すると、時刻Ｔ0にタイムラグｔ1を追加した、時刻Ｔ0＋ｔ1にカメラ２７１ｂを用いて撮影を行う。自動取引装置２００ｃは、撮影依頼を時刻Ｔ0に取得すると時刻Ｔ0にタイムラグｔ2を追加した、時刻Ｔ0＋ｔ2にカメラ２７１ｃを用いて撮影を行う。
【００４３】
たとえば、事故カードを利用した利用者５００は、時刻Ｔ0に自動取引装置２００ａが異常を検知すると、出入口６１０に向かって移動し、時刻Ｔ0から所定時間経過後に自動取引装置２００ｂ、及び自動取引装置２００ｃを通過する。このように異常を検知した自動取引装置２００ａと、撮影依頼をされた自動取引装置２００ｂ、２００ｃとでは、利用者５００を撮影可能な時刻にタイムラグが生じる。
【００４４】
したがって、依頼先の自動取引装置２００は、依頼元の自動取引装置２００が異常を検知した時刻に所定のタイムラグを追加した時刻に撮影を行うことで、利用者５００（異常の原因）を撮影できる蓋然性が高い場合に撮影を行うことができる。
【００４５】
次にタイムラグテーブルについて図６を用いて説明する。図６は、第二実施形態におけるタイムラグテーブルの一例を示す図である。
タイムラグテーブル７００は、依頼元に応じた依頼先のタイムラグが設定されたテーブルである。タイムラグは、依頼元が撮影するタイミングから依頼先が撮影するタイミングまでの遅延である。タイムラグは、依頼元と依頼先の設置環境に応じて設定される。設置環境は、自動取引装置２００が設置された環境であり、たとえば、自動取引装置２００の配置等である。自動取引装置２００は、タイムラグテーブル７００を参照することで依頼元と依頼先とからタイムラグを取得できる。
【００４６】
たとえば、タイムラグテーブル７００は、依頼元が「自動取引装置２００ｂ」で依頼先が「自動取引装置２００ｃ」である場合には、タイムラグが「ｔ4」であることを示す。これによれば、自動取引装置２００ｂが時刻Ｔ0に異常を検知し、時刻Ｔ0に撮影を行うとともに自動取引装置２００ｃに撮影依頼を行った場合には、自動取引装置２００ｃは、時刻Ｔ0にタイムラグ「ｔ4」を追加した時刻Ｔ0＋ｔ4に撮影を行う。
【００４７】
（撮影依頼の流れについて）
次に、撮影依頼の流れについて図７を用いて説明を行う。図７は、第二実施形態における自動取引装置の撮影依頼を示すシーケンス図である。
【００４８】
自動取引装置２００ａは、複数の自動取引装置２００ｂに対して撮影依頼を送信することができるが、ここでは代表して自動取引装置２００ｂが撮影依頼を受付ける場合について説明する。なお、他の自動取引装置２００の場合も同様の処理で実現できる。
【００４９】
［ＳＱ１］自動取引装置２００ａの制御部２１１は、検知部２１３を介して異常を検知する。たとえば、自動取引装置２００ａの制御部２１１は、検知部２１３を介して時刻Ｔ0に異常を検知する。
【００５０】
［ＳＱ２］自動取引装置２００ａの制御部２１１は、送信部２１４を介して自動取引装置２００ｂに撮影依頼を送信する。たとえば、自動取引装置２００ａの制御部２１１は、送信部２１４を介して自動取引装置２００ｂに撮影依頼を時刻Ｔ0に送信する。
【００５１】
［ＳＱ３］自動取引装置２００ａの制御部２１１は、撮影処理を行う。たとえば、自動取引装置２００ａの制御部２１１は、時刻Ｔ0に撮影処理を行う。撮影処理は、自動取引装置２００ａが異常を検知した場合に行う処理である。撮影処理については、後で図８を用いて詳細に説明する。
【００５２】
［ＳＱ４］自動取引装置２００ｂの制御部２１１は、受信部２１５が受信した撮影依頼を取得する。
［ＳＱ５］自動取引装置２００ｂの制御部２１１は、取得した撮影依頼に基づいて依頼元を特定する。
【００５３】
［ＳＱ６］自動取引装置２００ｂの制御部２１１は、依頼撮影処理を行う。依頼撮影処理は、他の自動取引装置２００から撮影依頼を受付けた場合に行う処理である。依頼撮影処理については、後で図９を用いて詳細に説明を行う。
【００５４】
［ＳＱ７］自動取引装置２００ｂの制御部２１１は、自動取引装置２００ｂが取引中であるか否かを判定する。自動取引装置２００ｂの制御部２１１は、自動取引装置２００ｂが取引中であると判定した場合には、自動取引装置２００ｂの取引が終了するまで待機する。自動取引装置２００ｂの制御部２１１は、自動取引装置２００ｂが取引中でないと判定した場合にはＳＱ８にすすむ。
【００５５】
［ＳＱ８］自動取引装置２００ｂの制御部２１１は、送信時刻を付与した依頼撮影処理で撮影した画像（以下、依頼撮影画像）を、送信部２１４を介して特定した依頼元（自動取引装置２００ａ）に送信する。すなわち、自動取引装置２００ｂは、取引中以外のタイミングで依頼元に対して依頼撮影画像を送信する。
【００５６】
このように、自動取引装置２００ｂは、依頼撮影画像を取引中以外のタイミングで依頼元に送信することで、自動取引装置２００ｂの負担が過大になることを抑制できる。なお、依頼元は、異常を検知して取引等を中止している（依頼撮影画像の取得待ち状態である）ため、依頼元が取引中であるか否かを考慮しなくてもよい。
【００５７】
［ＳＱ９］自動取引装置２００ａの制御部２１１は、受信部２１５が受信した依頼撮影画像を取得する。
［ＳＱ１０］自動取引装置２００ａの制御部２１１は、取得した依頼撮影画像に対応付けられた撮影時刻を補正する。自動取引装置２００ａは、依頼先時刻と依頼元時刻とに基づいて、依頼撮影画像に対応付けられた撮影時刻を補正する。
【００５８】
自動取引装置２００ａは、たとえば、依頼撮影画像から依頼撮影画像の送信時刻（自動取引装置２００ｂの時刻）を取得する。そして、自動取引装置２００ａは、依頼撮影画像の送信時刻と、自動取引装置２００ａが依頼撮影画像を受信した受信時刻（自動取引装置２００ａの時刻）とに基づいて、依頼撮影画像に対応付けられた撮影時刻を補正する。
【００５９】
このように自動取引装置２００は、依頼撮影画像に対応づけられた撮影時刻を、依頼先の時刻と、依頼元の時刻に基づいて補正することで、依頼撮影画像に対応付けられた撮影時刻を、依頼元の時刻を基準とした撮影時刻に補正できる。
【００６０】
このように依頼元の自動取引装置２００は、依頼撮影画像に対応付けられた撮影時刻を、依頼元の時刻を基準とした撮影時刻に補正することで、２つの自動取引装置２００間に時刻のずれがある場合でも画像の検索を容易にする。
【００６１】
［ＳＱ１１］自動取引装置２００ａの制御部２１１は、依頼撮影画像に依頼先情報と、取引通番を対応付ける。取引通番は、自動取引システム１００で行われる取引を識別可能な情報である。依頼先情報は、依頼先を特定可能な識別情報である。このように自動取引装置２００は、依頼先情報を依頼撮影画像と対応付けて記憶することで、画像を撮影した自動取引装置２００を特定可能にし、画像を用いた周囲の状況の把握を容易にする。
【００６２】
また、自動取引装置２００は、取引通番を依頼撮影画像と対応付けて記憶することで、取引通番による画像の検索を可能にし、画像の検索を容易にする。
［ＳＱ１２］自動取引装置２００ａの制御部２１１は、依頼撮影画像を記憶部２１２に記憶する。
【００６３】
このように、自動取引装置２００は、撮影処理で撮影した画像（以下、撮影画像）と、依頼先から取得した依頼撮影画像とを記憶部２１２に記憶する。したがって、画像を検索する場合に、異常を検知した自動取引装置２００の記憶部２１２を検索するだけで所望の画像（異常の検知が起因となって撮影された画像）を取得できる。
【００６４】
これによれば、自動取引システム１００では、自動取引装置２００が異常を検知すると、異常を検知した自動取引装置２００が撮影した画像と、撮影依頼を受付けた自動取引装置２００が撮影した画像とが撮影される。
【００６５】
このように撮影依頼を受付けた自動取引装置２００が画像を撮影することで、異常を検知した自動取引装置２００だけが撮影する場合に比べ、周囲の状況をより把握可能にし、防犯対策として有効である。つまり、自動取引装置２００は、撮影依頼を受付けた場合に画像を撮影することで、防犯対策として有効な画像を撮影できる。
【００６６】
さらに、自動取引装置２００は、複雑な処理を行わないため、自動取引装置２００にかかる負担が過大になることもない。
このように自動取引装置２００は、自動取引装置２００にかかる負担を抑制しながら、防犯対策として有効な画像を撮影できる。
【００６７】
（撮影処理について）
次に自動取引装置２００が行う撮影処理について図８を用いて説明する。図８は、第二実施形態における撮影処理のフローチャートである。
【００６８】
自動取引装置２００は、異常を検知した場合に撮影処理を行う。
［ステップＳ１］制御部２１１は、撮影処理で行う撮影の撮影タイミングを、撮影処理を開始した時刻と記憶部２１２の撮影条件に基づいて決定する。たとえば、制御部２１１は、撮影処理を開始した時刻と、記憶部２１２に記憶した撮影回数と、記憶部２１２に記憶した撮影間隔とに基づいて撮影タイミングを決定する。
【００６９】
たとえば、撮影処理を時刻Ｔ0に開始した場合に、制御部２１１は、記憶部２１２の撮影条件に基づいて撮影タイミングを、Ｔ0、Ｔ0＋Ｔ1、Ｔ0＋２Ｔ1、…、Ｔ0＋ｎＴ1と決定する。
【００７０】
［ステップＳ２］制御部２１１は、撮影タイミングであるか否かを判定する。制御部２１１は、撮影タイミングであると判定した場合にステップＳ３にすすみ、撮影タイミングでないと判定した場合にステップＳ２にすすむ。
【００７１】
［ステップＳ３］制御部２１１は、撮影部２１６を制御して撮影処理のステップＳ１で決定した撮影タイミングで撮影を行う。
［ステップＳ４］制御部２１１は、撮影画像を取得する。
【００７２】
［ステップＳ５］制御部２１１は、取得した撮影画像に撮影時刻と取引通番を対応付ける。
［ステップＳ６］制御部２１１は、撮影画像を記憶部２１２に記憶する。このように自動取引装置２００は、撮影画像と取引通番を対応付けて記憶部２１２に記憶することで、画像の検索を容易にする。
【００７３】
［ステップＳ７］制御部２１１は、撮影部２１６による撮影が終了したか否かを判定する。制御部２１１は、撮影部２１６による撮影が終了したと判定した場合には撮影処理を終了し、撮影部２１６による撮影が終了していないと判定した場合にはステップＳ２にすすむ。制御部２１１は、決定した撮影タイミングで撮影し終えた場合に撮影が終了したと判定する。
【００７４】
（依頼撮影処理について）
次に自動取引装置２００が行う依頼撮影処理について図９を説明する。図９は、第二実施形態における依頼撮影処理のフローチャートである。
【００７５】
自動取引装置２００は、撮影依頼を受付けた場合に依頼撮影処理を行う。
［ステップＳ２１］制御部２１１は、タイムラグテーブル７００を参照する。
［ステップＳ２２］制御部２１１は、タイムラグテーブル７００から依頼元に基づいてタイムラグを取得する。たとえば、自動取引装置２００ｂの制御部２１１は、依頼元「自動取引装置２００ａ」に基づいて、タイムラグ「ｔ1」を取得する。
【００７６】
［ステップＳ２３］制御部２１１は、撮影依頼を受付けた時刻と、タイムラグに基づいて撮影開始タイミング（１回目の撮影タイミング）を決定する。たとえば、撮影依頼を時刻Ｔ0に受付け、依頼先とのタイムラグがｔ1である場合には、制御部２１１は、撮影開始タイミングをＴ0＋ｔ1と決定する。このように依頼先の自動取引装置２００は、撮影開始タイミングをタイムラグに基づいて補正することで、利用者を撮影できる蓋然性が高い場合に撮影できる。
【００７７】
［ステップＳ２４］制御部２１１は、依頼撮影処理で行う撮影の撮影タイミングを、撮影開始タイミングと記憶部２１２の撮影条件に基づいて決定する。たとえば、制御部２１１は、撮影開始タイミングと、記憶部２１２に記憶した撮影回数と、記憶部２１２に記憶した撮影間隔とに基づいて撮影タイミングを決定する。
【００７８】
撮影開始タイミングがＴ0＋ｔ1である場合に、たとえば、制御部２１１は、記憶部２１２の撮影条件に基づいて撮影タイミングを、Ｔ0＋ｔ1、Ｔ0＋ｔ1＋Ｔ1、Ｔ0＋ｔ1＋２Ｔ1、…、Ｔ0＋ｔ1＋ｎＴ1と決定する。
【００７９】
［ステップＳ２５］制御部２１１は、撮影タイミングであるか否かを判定する。制御部２１１は、撮影タイミングであると判定した場合にステップＳ２６にすすみ、撮影タイミングでないと判定した場合にステップＳ２５にすすむ。
【００８０】
［ステップＳ２６］制御部２１１は、所定時間以内に他の撮影タイミング（撮影処理または２以上の依頼撮影処理の撮影タイミング）があるか否かを判定する。他の撮影タイミングは、（自装置の）撮影処理の撮影タイミング、または２以上の（他装置から）撮影依頼を受付けた場合の他の依頼撮影処理の撮影タイミングである。
【００８１】
制御部２１１は、所定時間以内に他の撮影タイミングがあると判定した場合にはステップＳ２８にすすみ、所定時間以内に他の撮影タイミングがないと判定した場合にはステップＳ２７にすすむ。
【００８２】
［ステップＳ２７］制御部２１１は、撮影部２１６を制御して依頼撮影処理の撮影タイミング（ステップＳ２４で決定した撮影タイミング）で撮影を行う。
［ステップＳ２８］制御部２１１は、所定時間以内の他の撮影タイミングが撮影処理の撮影タイミングであるか否かを判定する。制御部２１１は、所定時間以内の他の撮影タイミングが撮影処理の撮影タイミングであると判定した場合にはステップＳ３３にすすみ、所定時間以内の他の撮影タイミングが撮影処理の撮影タイミングでないと判定した場合にはステップＳ２９にすすむ。
【００８３】
［ステップＳ２９］制御部２１１は、２以上の依頼撮影処理の撮影タイミングの中から代表する撮影タイミングを決定する。
たとえば、制御部２１１は、２以上の依頼撮影処理の撮影タイミングのうち一番早い撮影タイミングを代表する撮影タイミングと決定する。なお、制御部２１１は、一番早い撮影タイミングを代表する撮影タイミングと決定することに限らず、たとえば、一番遅い撮影タイミング、それぞれを平均した撮影タイミング等を代表する撮影タイミングと決定してもよい。
【００８４】
［ステップＳ３０］制御部２１１は、決定した代表する撮影タイミングが他の依頼撮影処理の撮影タイミングであるか否かを判定する。制御部２１１は、決定した代表する撮影タイミングが他の依頼撮影処理の撮影タイミングであると判定した場合にはステップＳ３１にすすむ。また、制御部２１１は、決定した代表する撮影タイミングが他の依頼撮影処理の撮影タイミングでない（ステップＳ２４で決定した撮影タイミングである）場合にはステップＳ３２にすすむ。
【００８５】
［ステップＳ３１］制御部２１１は、依頼撮影処理の撮影タイミング（ステップＳ２４で決定した撮影タイミング）をキャンセルする。
［ステップＳ３２］制御部２１１は、決定した代表する撮影タイミングで撮影を行う。
【００８６】
［ステップＳ３３］制御部２１１は、依頼撮影処理の撮影タイミング（ステップＳ２４で決定した撮影タイミング）をキャンセルする。
［ステップＳ３４］制御部２１１は、撮影処理の撮影タイミングで撮影を行う。
【００８７】
［ステップＳ３５］制御部２１１は、依頼撮影画像を取得する。
［ステップＳ３６］制御部２１１は、取得した依頼撮影画像に撮影時刻を対応付ける。
［ステップＳ３７］制御部２１１は、撮影部２１６による撮影が終了したか否かを判定する。制御部２１１は、撮影部２１６による撮影が終了したと判定した場合には依頼撮影処理を終了し、撮影部２１６による撮影が終了していないと判定した場合にはステップＳ２５にすすむ。制御部２１１は、決定した撮影タイミングで撮影し終えた場合に撮影が終了したと判定する。
【００８８】
なお、制御部２１１は、依頼元から撮影終了の指示を受付けた場合に撮影が終了したと判定してもよい。
（出金処理について）
次に異常の検知の一例である事故カードの検知について出金処理を用いて説明する。図１０は、第二実施形態における出金処理のフローチャートである。自動取引装置２００は、出金取引の選択を受付け、キャッシュカードが挿入された場合に出金処理を開始する。
【００８９】
［ステップＳ４１］制御部２１１は、カード処理ユニット２３０を制御してキャッシュカードの磁気データを読み取る。制御部２１１は、キャッシュカードの磁気データから口座番号を取得する。
【００９０】
［ステップＳ４２］制御部２１１は、表示ユニット２２０のタッチパネル、入力キー等から入力された暗証番号を、検知部２２２ｂを介して取得する。
［ステップＳ４３］制御部２１１は、表示ユニット２２０のタッチパネル、入力キー等から入力された出金金額を、検知部２２２ｂを介して取得する。
【００９１】
［ステップＳ４４］制御部２１１は、通信制御部２１０ｅを介してホストコンピュータ３００と通信し、出金取引の実行の是非（出金許可または出金不許可）を受付ける。
制御部２１１は、通信制御部２１０ｅを介して、取引の区分（出金取引の選択受付け）と口座番号と出金金額と暗証番号とをホストコンピュータ３００に送信し、出金取引の実行の是非をホストコンピュータ３００から受付ける。
【００９２】
［ステップＳ４５］制御部２１１は、ホストコンピュータ３００から出金許可を受付けたか否かを判定する。制御部２１１は、ホストコンピュータ３００から出金許可を受付けたと判定した場合にはステップＳ４６にすすみ、ホストコンピュータ３００から出金許可を受付けていない（出金不許可を受付けた）と判定した場合にはステップＳ４９にすすむ。
【００９３】
［ステップＳ４６］制御部２１１は、硬貨処理ユニット２５０と紙幣処理ユニット２６０を制御して出金金額に応じた通貨（硬貨、および紙幣）を計数する。
［ステップＳ４７］制御部２１１は、計数した通貨およびキャッシュカードを自動取引装置２００から排出する。制御部２１１は、硬貨処理ユニット２５０、および紙幣処理ユニット２６０を制御して硬貨入出金口２５１、および紙幣入出金口２６１から計数した通貨を排出する。また、制御部２１１は、カード処理ユニット２３０を制御して、カード挿入／排出口２３１からキャッシュカードを排出する。
【００９４】
［ステップＳ４８］制御部２１１は、ホストコンピュータ３００に対して完了電文を送信する。制御部２１１は、完了電文を送信することで口座からの出金金額の出金が完了したことをホストコンピュータ３００に通知する。
【００９５】
［ステップＳ４９］制御部２１１は、出金不許可処理を実行する。出金不許可処理は、自動取引装置２００が出金不許可を受付けた場合に行われる処理である。出金不許可処理については、後で図１１を用いて詳細に説明する。
【００９６】
［ステップＳ５０］制御部２１１は、取引のログを記憶部２１２に記憶して出金処理を終了する。
（出金不許可処理について）
次に出金不許可処理について説明する。図１１は、第二実施形態における出金不許可処理のフローチャートである。自動取引装置２００は、出金処理においてホストコンピュータ３００から出金不許可を受付けた場合（図１０のステップＳ４９）に出金不許可処理を実行する。
【００９７】
［ステップＳ６１］制御部２１１は、出金不許可の原因が事故カードによるものであるか否かを判定する。制御部２１１は、出金不許可の原因が事故カードによるものであると判定した場合にはステップＳ６２にすすみ、出金不許可の原因が事故カードによるものではないと判定した場合にはステップＳ７１にすすむ。出金不許可の原因は、たとえば、ホストコンピュータとの通信（図１１のステップＳ４４）において出金不許可とあわせて通知される。
【００９８】
なお、出金不許可は、たとえば、キャッシュカードが事故カードである場合、口座が残高不足である場合、出金金額が１日の出金限度額を超えている場合、暗証番号の照合に失敗した場合等に通知される。
【００９９】
［ステップＳ６２］制御部２１１は、事故カードが検知されたことを報知する。制御部２１１は、たとえば、自動取引装置２００を監視している監視端末等に自動取引装置２００で事故カードが利用されたことを報知し、自動取引装置２００に警備員を派遣するように依頼する。
【０１００】
［ステップＳ６３］制御部２１１は、送信部２１４を介して他の自動取引装置２００に対して撮影依頼を送信する。
なお、依頼先の自動取引装置２００は、図７のＳＱ４〜ＳＱ８の処理を実行し、自動取引装置２００に対して依頼撮影画像を送信する。
【０１０１】
［ステップＳ６４］制御部２１１は、撮影処理を行う。
［ステップＳ６５］制御部２１１は、受信部２１５が受信した依頼先が撮影した依頼撮影画像を取得する。
【０１０２】
［ステップＳ６６］制御部２１１は、取得した依頼撮影画像の撮影時刻を補正する。
［ステップＳ６７］制御部２１１は、依頼撮影画像に依頼先情報と、取引通番を対応付ける。
【０１０３】
［ステップＳ６８］制御部２１１は、依頼撮影画像を記憶部２１２に記憶する。
［ステップＳ６９］制御部２１１は、キャッシュカードを自動取引装置２００内部に取り込み、事故カードを回収する。
【０１０４】
［ステップＳ７０］制御部２１１は、表示部２２１を介してキャッシュカードを回収したことを報知する。
［ステップＳ７１］制御部２１１は、表示部２２１を介して出金金額を出金できないこと（出金不可）を報知する。
【０１０５】
［ステップＳ７２］制御部２１１は、カード処理ユニット２３０を制御してカード挿入／排出口２３１から利用者のキャッシュカードを排出する。
このような出金処理によれば、自動取引装置２００は、挿入されたキャッシュカードが事故カードであると検知した場合に、他の自動取引装置２００に撮影依頼を行うとともに、撮影部２１６を制御して撮影を行う。そして、撮影依頼を受信した自動取引装置２００ａは、撮影依頼に基づいて撮影を行う。
【０１０６】
これによれば、自動取引システム１００では、自動取引装置２００が異常を検知すると、異常を検知した自動取引装置２００が撮影した画像と、撮影依頼を受付けた自動取引装置２００が撮影した画像とが撮影される。
【０１０７】
このように撮影依頼を受付けた自動取引装置２００が画像を撮影することで、自動取引システム１００は、異常を検知した自動取引装置２００だけが撮影する場合に比べ、事故カードを利用した利用者の画像をより取得できる。このように事故カードを利用した利用者の画像をより取得することは、防犯対策として有効である。つまり、自動取引装置２００は、撮影依頼を受付けた場合に撮影することで、防犯対策として有効な画像を撮影できる。
【０１０８】
また、自動取引装置２００は、複雑な処理を行わないため、自動取引装置２００にかかる負担が過大になることもない。このように自動取引装置２００は、自動取引装置２００にかかる負担を抑制しながら、防犯対策として有効な画像を撮影できる。
【０１０９】
［第三実施形態］
次に第三実施形態について説明を行う。第三実施形態は、タイムラグに基づいた補正を依頼元が行う点で、タイムラグに基づいた補正を依頼先が行う第二実施形態と相違する。ここで自動取引装置２００の撮影依頼の変形例について図１２を用いて説明する。図１２は、第三実施形態における自動取引装置の撮影依頼を示すシーケンス図である。
【０１１０】
図１２は、図７の変形例である。図１２は、撮影依頼を行う自動取引装置２００が依頼先の撮影開始タイミングを決定する点で図７と相違する。図７と同様の点については、適宜省略して説明する。なお、図７と同様に自動取引装置２００ｂを依頼先の代表として説明する。
【０１１１】
［ＳＱ２１］自動取引装置２００ａの制御部２１１は、検知部２１３を介して異常を検知する。たとえば、自動取引装置２００ａの制御部２１１は、時刻Ｔ0に異常を検知する。
【０１１２】
［ＳＱ２２］自動取引装置２００ａの制御部２１１は、依頼先の撮影開始タイミングを決定する（図９のステップＳ２１〜Ｓ２３に相当）。具体的には、自動取引装置２００ａの制御部２１１は、依頼先を特定し、図６のタイムラグテーブル７００を参照し、タイムラグテーブル７００から依頼元に基づいてタイムラグを取得する。そして自動取引装置２００ａの制御部２１１は、撮影依頼を受付けた時刻と、タイムラグに基づいて撮影開始タイミングを決定する。
【０１１３】
自動取引装置２００ａの制御部２１１は、たとえば、依頼先を「自動取引装置２００ｂ」と特定する。自動取引装置２００ａの制御部２１１は、依頼先「自動取引装置２００ｂ」に基づいて、タイムラグ「ｔ1」を取得する。自動取引装置２００ａの制御部２１１は、撮影依頼を受付けた時刻がＴ0であり、依頼先とのタイムラグがｔ1であるから、撮影開始タイミングをＴ0＋ｔ1と決定する。なお、自動取引装置２００ａの制御部２１１は、撮影開始タイミングに限らず、複数の撮影タイミングを決定してもよい。
【０１１４】
［ＳＱ２３］自動取引装置２００ａの制御部２１１は、送信部２１４を介して自動取引装置２００ｂに対して決定した撮影開始タイミングを含む撮影依頼を送信する。なお、自動取引装置２００ａの制御部２１１は、複数の自動取引装置２００に対して撮影依頼を行う場合には、ＳＱ２２〜ＳＱ２３の処理を依頼先の数だけ行えばよい。
【０１１５】
［ＳＱ２４］自動取引装置２００ａの制御部２１１は、撮影処理を行う。
［ＳＱ２５］自動取引装置２００ｂの制御部２１１は、受信部２１５が受信した撮影開始タイミングを含む撮影依頼を取得する。
【０１１６】
［ＳＱ２６］自動取引装置２００ｂの制御部２１１は、取得した撮影依頼に基づいて依頼元を特定する。
［ＳＱ２７］自動取引装置２００ｂの制御部２１１は、依頼撮影処理を行う。なお、変形例では自動取引装置２００ｂは、撮影開始タイミングを自動取引装置２００ａからの撮影依頼によって取得するため、依頼撮影処理では撮影開始タイミングの決定（図９のステップＳ２１〜Ｓ２３）を行わない。すなわち、第三実施形態の依頼撮影処理では、制御部２１１は、図９のステップＳ２４〜Ｓ３７の処理を行う。
【０１１７】
［ＳＱ２８］自動取引装置２００ｂの制御部２１１は、自動取引装置２００ｂが取引中であるか否かを判定する。自動取引装置２００ｂの制御部２１１は、自動取引装置２００ｂが取引中であると判定した場合には、自動取引装置２００ａの取引が終了するまで待機する。自動取引装置２００ｂの制御部２１１は、自動取引装置２００ａが取引中でないと判定した場合にはＳＱ２９にすすむ。
【０１１８】
［ＳＱ２９］自動取引装置２００ｂの制御部２１１は、送信時刻を付与した依頼撮影画像を、送信部２１４を介して特定した依頼元（自動取引装置２００ａ）に送信する。
［ＳＱ３０］自動取引装置２００ａの制御部２１１は、受信部２１５が受信した依頼撮影画像を取得する。
【０１１９】
［ＳＱ３１］自動取引装置２００ａの制御部２１１は、取得した依頼撮影画像に対応付けられた撮影時刻を補正する。
［ＳＱ３２］自動取引装置２００ａの制御部２１１は、依頼撮影画像に依頼先と、取引通番を対応付ける。
【０１２０】
［ＳＱ３３］自動取引装置２００ａの制御部２１１は、依頼撮影画像を記憶部２１２に記憶する。
なお、自動取引装置２００は、他の自動取引装置２００毎に設定した撮影条件を撮影依頼とあわせて送信し、他の自動取引装置２００に撮影を実行させてもよい。
【０１２１】
また、自動取引装置２００は、撮影依頼を受付けた場合に取引状況に応じて異なる撮影条件で撮影を行ってもよい。たとえば、自動取引装置２００は、取引中でない場合には、取引中である場合よりも撮影間隔を短く、かつ撮影回数を増やした撮影条件で撮影を行う。この場合には、自動取引装置２００の記憶部２１２は、取引中の撮影条件と取引中以外の２つ撮影条件をあらかじめ記憶しておけばよい。
【０１２２】
これによれば、自動取引装置２００は、自動取引装置２００で行われる取引への撮影による負担の影響を抑制しつつ、撮影依頼に基づいて自動取引装置２００の撮影する画像の枚数を増やすことができる。したがって、自動取引装置２００は、自動取引装置２００にかかる負担を抑制しながら、防犯対策として有効な画像を撮影させることもできる。
【０１２３】
なお、自動取引装置２００が出金取引を行う場合について説明したがこれに限らない。たとえば、自動取引装置２００は、その他の取引処理（入金取引、残高照会取引等）を行う場合でも、出金取引と同様に事故カードを検知して他の自動取引装置２００に撮影依頼を行うことができる。
【０１２４】
なお、検知部２１３による事故カードの検知は、異常の検知の一例であってこれに限らない。たとえば、検知部２１３は、自動取引装置２００が所定以上の衝撃（硬貨入出金口２５０ａ、紙幣入出金口２６０ａの破壊）を検知した場合に、異常と検知してもよいし、自動取引装置２００が所定以上の騒音を検知した場合に、異常と検知してもよい。
【０１２５】
なお、依頼撮影処理で撮影した画像を依頼元に送信するとして説明したがこれに限らない。たとえば、依頼撮影処理を行った自動取引装置２００に依頼撮影画像を記憶してもよい。依頼撮影処理を行った自動取引装置２００が依頼撮影画像を記憶することで、依頼撮影画像を送受信する必要がなくなるため、自動取引装置２００の負担が過大になることもない。なお、この場合には、依頼撮影処理を行った自動取引装置２００は、依頼元と撮影時刻と取引通番を対応付けた依頼撮影画像を記録するとよい。依頼撮影処理を行った自動取引装置２００は、依頼元と撮影時刻と取引通番を対応付けた依頼撮影画像を記憶することで、利用者による検索を容易にする。
【０１２６】
なお、自動取引装置１０（１０ａ、１０ｂ）、２００（２００ａ、２００ｂ、２００ｃ）は、静止画像を撮影するとして説明したがこれに限らない。自動取引装置１０、２００は、動画を撮影してもよい。
【０１２７】
なお、上記の処理機能は、コンピュータによって実現することができる。その場合、自動取引装置１０（１０ａ、１０ｂ）、２００（２００ａ、２００ｂ、２００ｃ）が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（可搬型記録媒体を含む）に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク、磁気テープなどがある。光ディスクには、ＤＶＤ（Digital Versatile Disk）、ＤＶＤ−ＲＡＭ、ＣＤ−ＲＯＭ（Read Only Memory）、ＣＤ−Ｒ／ＲＷ（Compact Disc−Recordable／ReWritable）などがある。光磁気記録媒体には、ＭＯ（Magneto Optical disk）などがある。
【０１２８】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１２９】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、サーバコンピュータからプログラムが転送されるごとに、逐次、受取ったプログラムにしたがった処理を実行することもできる。
【０１３０】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１３１】
１０、１０ａ、１０ｂ、２００、２００ａ、２００ｂ、２００ｃ  自動取引装置
１１  受付部
１２  撮影部
１３  撮影依頼
２０、２０ａ、２０ｂ  カメラ
１００  自動取引システム
２１０  制御ユニット
２１１  制御部
２１２  記憶部
２１３  検知部
２１４  送信部
２１５  受信部
２１６  撮影部
３００  ホストコンピュータ
４００  ネットワーク
【図１】
0005993362.tif 000002
【図２】
0005993362.tif 000003
【図３】
0005993362.tif 000004
【図４】
0005993362.tif 000005
【図５】
0005993362.tif 000006
【図６】
0005993362.tif 000007
【図７】
0005993362.tif 000008
【図８】
0005993362.tif 000009
【図９】
0005993362.tif 000010
【図１０】
0005993362.tif 000011
【図１１】
0005993362.tif 000012
【図１２】
0005993362.tif 000013